(57)【特許請求の範囲】
【請求項１】
移動ベースにレンズ駆動ユニットが支持されており、
前記レンズ駆動ユニットは、ユニットシャーシ上に、記録媒体に対向する対物レンズを保持したレンズホルダと、前記レンズホルダを支持する弾性支持部材と、前記レンズホルダを前記対物レンズの光軸方向へ移動させるフォーカス補正機構とが搭載されている光ピックアップ装置において、
前記レンズホルダに規制当接部と対向当接部とが設けられており、
前記規制当接部は、前記レンズホルダが記録媒体から離れる方向へ移動するときに、前記移動ベースに当たって前記レンズホルダのそれ以上の移動を規制し、前記対向当接部は、前記レンズホルダが記録媒体から離れる方向へ移動するときに前記ユニットシャーシに接近するとともに、前記規制当接部が前記移動ベースに当たったときに、前記ユニットシャーシに対して隙間を空けて対向することを特徴とする光ピックアップ装置。
【請求項２】
前記対向当接部と前記ユニットシャーシとの位置関係は、前記レンズ駆動ユニットが前記移動ベースに搭載されていない状態で、前記対向当接部と前記ユニットシャーシとが当接したときに、前記弾性支持部材の変形量がこの弾性支持部材の弾性領域内となるように決められている請求項１記載の光ピックアップ装置。
【請求項３】
前記弾性支持部材は、前記光軸方向と交差する方向に延びる複数の弾性ワイヤであり、前記弾性ワイヤの基部が前記ユニットシャーシ上で固定され、前記弾性ワイヤの先部と前記レンズホルダとが半田付けで固定されている請求項１または２記載の光ピックアップ装置。
【請求項４】
前記弾性ワイヤの基部が前記ユニットシャーシ上で固定されている状態で、前記レンズホルダが前記ユニットシャーシ上で位置決めされて、前記弾性ワイヤの先部と前記レンズホルダとが半田付けされている請求項３記載の光ピックアップ装置。
【請求項５】
前記移動ベースに、前記規制当接部と当たるストッパ突起が設けられ、前記ユニットシャーシに、前記対向当接部と対向する受け部が設けられており、前記ストッパ突起の先端部が、前記受け部よりも前記レンズホルダに近い側に位置している請求項１ないし４のいずれかに記載の光ピックアップ装置。
【請求項６】
前記移動ベースと前記ユニットシャーシとの間には、前記対物レンズの光軸の倒れ量を調整する傾き調整機構が設けられている請求項１ないし５のいずれかに記載の光ピックアップ装置。
【発明の詳細な説明】
【技術分野】
【０００１】
本発明は、レンズホルダやフォーカス補正機構などを備えたレンズ駆動ユニットが移動ベース上に搭載された構造の光ピックアップ装置に関する。
【背景技術】
【０００２】
ＣＤやＤＶＤなどの各種記録媒体から情報を再生する光ピックアップ装置は、ディスクの記録面に沿って移動する移動ベースを有しており、移動ベース上に、レンズ駆動ユニットが搭載されている。レンズ駆動ユニットには、ユニットシャーシが設けられ、ユニットシャーシと移動ベースとの間に、レンズ駆動ユニットの傾きを調整する傾き調整機構が設けられている。
【０００３】
レンズ駆動ユニットでは、前記ユニットシャース上に、ディスクに対向する対物レンズを保持したレンズホルダと、レンズホルダを移動自在に支持する弾性支持部材と、レンズホルダを対物レンズの光軸方向へ移動させるフォーカス補正機構と、レンズホルダを光軸と直交するラジアル方向へ移動させるトラッキング補正機構とが搭載されている。
【０００４】
特許文献１に記載された光ピックアップ装置では、弾性支持部材として、対物レンズの光軸と直交する方向に延びる４本の弾性ワイヤが使用されている。弾性ワイヤの基部は前記ユニットシャーシに相当するベース部材上に固定され、弾性ワイヤの先部にレンズホルダが固定されている。この構造では、弾性ワイヤが弾性的に撓むことで、レンズホルダがフォーカス補正方向とトラッキング補正方向へ移動可能となる。
【０００５】
特許文献１に記載された光ピックアップ装置は、前記移動ベースに相当する光学シャーシの底部にストッパ部が設けられており、ストッパ部がベース部材に形成された透孔を介してレンズホルダの底部に対向している。レンズホルダがディスクと逆側へ大きく移動すると、レンズホルダの底部が透孔内を通過してストッパ部に当接し、レンズホルダの移動量を規制できるようにしている。
【０００６】
特許文献１に記載された光ピックアップ装置は、レンズホルダの下方に光学シャーシのみが対向する構造であるために、装置を薄型にできるというものである。
【先行技術文献】
【特許文献】
【０００７】
【特許文献１】特開２００１−３１９３４２号公報
【発明の概要】
【発明が解決しようとする課題】
【０００８】
特許文献１に記載された光ピックアップ装置は、ベース部に形成された透孔を介して、レンズホルダの底部と、光学シャーシに形成されたストッパ部とが当接する構造である。そのため、ベース部材に弾性ワイヤとレンズホルダならびにフォーカス補正機構などが組み込まれた後で、且つベース部材を光学シャーシに搭載する以前の工程において、不用意にレンズホルダに外力が作用すると、レンズホルダが前記透孔の内部を通過する位置まで移動し、弾性ワイヤが過剰に曲げられることがある。このときの弾性ワイヤの撓み量が弾性領域を超えて降伏点を超えてしまうと、弾性ワイヤが塑性変形し、動作不能な不良品となってしまう。
【０００９】
一方で、前記透孔を設けず、レンズホルダが外力で押されたときに、レンズホルダの一部がベース部材に当たるようにしておけば、弾性ワイヤの撓みが異常に大きくなるのを防止することができる。しかし、このような構造を採用すると、以下のような新たな問題が発生する。
【００１０】
レンズホルダをベース部材に組み込むときには、最初に弾性ワイヤの基部をベース部材上に固定しておき、調整治具を用い、ベース部材に対してレンズホルダに保持された対物レンズの光軸中心を位置決めした後に、レンズホルダを弾性ワイヤに固定することが好ましい。弾性ワイヤはレンズホルダに設けられたコイルへの通電路としても使用されるため、通常は弾性ワイヤとレンズホルダに埋設された金属端子とを半田付けし、半田の付着力によって、弾性ワイヤとレンズホルダとを固定しているのが一般的である。
【００１１】
ここで、半田付け作業の際に、フラックスがベース部の表面に付着することがあると、完成した光ピックアップ装置を高温環境下で使用しているときに、フラックスが加熱されて粘着力を発揮するようになり、レンズホルダがフラックスによってベース部材の表面に接着されてしまう現象が発生しやすくなる。
【００１２】
この種の光ピックアップ装置では、新たなディスクが装填されたときに、フォーカス補正機構によって、レンズホルダをディスクから離れる側へ大きく移動させ、その位置からディスク方向へレンズホルダを移動させながら、対物レンズによってディスクの記録面に検知光を集光させ、その戻り光を検知することで、ディスクの有無の検出や、ＣＤやＤＶＤなどのディスクの種別を検出している。この動作の際に、レンズホルダがベース部に一時的にでも接着されてしまうと、前記検出動作にエラーが発生することになり、ディスクが存在していないと誤って判断したり、ディスクの種別が解らずにディスクを装置外へ排出してしまうなどの誤動作が発生することになる。
【００１３】
また、ベース部材へのフラックスの付着を防止するために、先にレンズホルダに弾性ワイヤを半田付けで固定してから、弾性ワイヤをベース部材に取付ける方法も考えられる。しかし、レンズホルダに固定された弾性ワイヤをベース部材に組み付ける作業では、レンズホルダに搭載された対物レンズの光軸を、ベース部に対して高精度に位置決めするのが困難になる。
【００１４】
本発明は上記従来の課題を解決するものであり、ユニットシャーシにフラックスなどが付着することがあったとしても、レンズホルダがユニットシャーシに接着されることがなく、しかもどの工程においても、弾性支持部材が過剰に変形するのを防止できる光ピックアップ装置を提供することを目的としている。
【課題を解決するための手段】
【００１５】
本発明は、移動ベースにレンズ駆動ユニットが支持されており、前記レンズ駆動ユニットは、ユニットシャーシ上に、記録媒体に対向する対物レンズを保持したレンズホルダと、前記レンズホルダを支持する弾性支持部材と、前記レンズホルダを前記対物レンズの光軸方向へ移動させるフォーカス補正機構とが搭載されている光ピックアップ装置において、
前記レンズホルダに規制当接部と対向当接部とが設けられており、前記規制当接部は、前記レンズホルダが記録媒体から離れる方向へ移動するときに、前記移動ベースに当たって前記レンズホルダのそれ以上の移動を規制し、前記対向当接部は、前記レンズホルダが記録媒体から離れる方向へ移動するときに前記ユニットシャーシに接近するとともに、前記規制当接部が前記移動ベースに当たったときに、前記ユニットシャーシに対して隙間を空けて対向することを特徴とするものである。
【００１６】
本発明の光ピックアップ装置における、前記対向当接部と前記ユニットシャーシとの位置関係は、前記レンズ駆動ユニットが前記移動ベースに搭載されていない状態で、前記対向当接部と前記ユニットシャーシとが当接したときに、前記弾性支持部材の変形量がこの弾性支持部材の弾性領域内となるように決められているものが好ましい。
【００１７】
本発明の光ピックアップ装置は、前記弾性支持部材は、前記光軸方向と交差する方向に延びる複数の弾性ワイヤであり、前記弾性ワイヤの基部が前記ユニットシャーシ上で固定され、前記弾性ワイヤの先部と前記レンズホルダとが半田付けで固定されているものが好ましい。
【００１８】
本発明の光ピックアップ装置は、前記弾性ワイヤの基部が前記ユニットシャーシ上で固定されている状態で、前記レンズホルダが前記ユニットシャーシ上で位置決めされて、前記弾性ワイヤの先部と前記レンズホルダとが半田付けされているものにおいて有効である。
【００１９】
本発明の光ピックアップ装置は、前記移動ベースに、前記規制当接部と当たるストッパ突起が設けられ、前記ユニットシャーシに、前記対向当接部と対向する受け部が設けられており、前記ストッパ突起の先端部が、前記受け部よりも前記レンズホルダに近い側に位置しているものが好ましい。
【００２０】
本発明の光ピックアップ装置は、前記移動ベースと前記ユニットシャーシとの間に、前記対物レンズの光軸の倒れ量を調整する傾き調整機構が設けられているものである。
【発明の効果】
【００２１】
本発明の光ピックアップ装置は、ユニットシャーシにレンズホルダと弾性支持部材が搭載された状態で、レンズホルダに形成された対向当接部がユニットシャーシに対向している。よって、移動ベースに組み込むまでの間にレンズホルダに大きな外力が作用したとしても、対向当接部がユニットシャーシに当たることで、弾性支持部材の変形量が過剰になるのを防止することができる。
【００２２】
次に、レンズ駆動ユニットが移動ベースに搭載されたときには、フォーカス補正機構によってレンズホルダを記録媒体と逆側に移動させたときに、レンズホルダの規制当接部が移動ベースに当たることで、レンズホルダの移動量を規制できる。このとき、規制当接部が移動ベースに当たっても、レンズホルダの対向当接部がユニットシャーシに当たることがないため、仮に、レンズホルダに半田付け作業用のフラックスが付着しているようなことがあっても、高温環境下で、レンズホルダがユニットシャーシに接着されるという問題が生じなくなる。
【図面の簡単な説明】
【００２３】
【図１】本発明の実施の形態の光ピックアップ装置を示す分解斜視図、
【図２】弾性支持部材で支持されているレンズホルダの構造を示す部分斜視図、
【図３】光ピックアップ装置をＩＩＩ−ＩＩＩ線で切断した断面図であり、レンズホルダが中立姿勢の状態を示す、
【図４】光ピックアップ装置をＩＩＩ−ＩＩＩ線で切断した断面図であり、レンズホルダが下降した状態を示す、
【発明を実施するための形態】
【００２４】
図１に示す本発明の実施の形態の光ピックアップ装置１は、光ディスク装置に搭載される。光ディスク装置はターンテーブルを有しており、ＣＤやＤＶＤなどの各種光ディスク（記録媒体）がターンテーブルに装填されて回転駆動される。そして、光ピックアップ装置１によって、光ディスクの記録面に記録された情報が再生され、または記録面に情報が書き込まれる。
【００２５】
図１に示す光ピックアップ装置１は、移動ベース１０を有している。移動ベース１０は、ＰＰＳ（ポリフェニレン・スルファイド）樹脂などで射出成型され、またはアルミニウムなどの軽量金属材料によりダイキャスト成形されたものである。移動ベース１０には、基準軸受け部１１と駆動軸受け部１２とが形成されている。光ディスク装置には、案内軸２と駆動スクリュー軸３とが互いに平行に延びている。基準軸受け部１１が案内軸２に摺動自在に挿通され、駆動軸受け部１２に設けられた係合部１２ａが駆動スクリュー軸３のスクリュー溝に係合している。図示しないスレットモータで駆動スクリュー軸３が回転駆動されると、光ピックアップ装置１の移動ベース１０が、光ディスクＤの半径方向であるラジアル方向（Ｒａｄ）に移動する。
【００２６】
移動ベース１０の底部１０ａには、ストッパ突起１３が上方（Ｆ方向：フォーカス方向）に向けて一体に突出しており、ストッパ突起１３の上端部がストッパ部１３ａとなっている。ストッパ部１３ａは４か所に設けられている。
【００２７】
移動ベース１０は光学ベースとしての機能を有しており、コリメートレンズ１４やプリズム１５などの各種光学部品が搭載されており、さらにコリメートレンズ１４の光軸上に位置する発光素子と受光素子とが設けられている。
【００２８】
移動ベース１０にレンズ駆動ユニット２０が搭載されている。レンズ駆動ユニット２０はユニットシャーシ２１を有している。ユニットシャーシ２１は板金製である。ユニットシャーシ２１には、支持基準部２１ａと、一対の調整雌ねじ穴２１ｂ，２１ｃが形成されている。移動ベース１０には支点支持部１６が上向きに形成されている。図３に示すように、レンズ駆動ユニット２０が移動ベース１０上に設置されると、ユニットシャーシ２１の前記支持基準部２１ａが支点支持部１６の上に設置され、移動ベース１０に固定された板ばね３１で支持基準部２１ａが支点支持部１６に押さえ付けられる。
【００２９】
移動ベース１０とユニットシャーシ２１との間に、傾き調整機構３０が設けられている。傾き調整機構３０では、移動ベース１０の２カ所に調整ねじ３１ａ，３１ｂが上向きに挿通されている。一方の調整ねじ３１ａがユニットシャーシ２１に形成された調整雌ねじ穴２１ｂに螺着され、他方の調整ねじ３１ｂが調整雌ねじ穴２１ｃに螺着される。また、調整ねじ３１ａの外周に圧縮コイルばね３２ａが装着され、調整ねじ３１ｂの外周に圧縮コイルばね３２ｂが装着されて、圧縮コイルばね３２ａ，３２ｂが、ユニットシャーシ２１と移動ベース１０との間に圧縮状態で介在する。
【００３０】
図１に示すように、ユニットシャーシ２１に支持体２２が固定されており、この支持体２２の背部に支持基板２３の中央部２３ａが固定されている。支持基板２３に弾性ワイヤ２４の基部が固定されている。弾性ワイヤ２４は、支持基板２３の左右両端部に２本ずつ固定され、合計４本の弾性ワイヤ２４で弾性支持部材が構成されている。弾性ワイヤ２４は、支持体２２に形成された開口部２２ａの内部を通過して、光ディスクＤの接線方向であるタンゼンシャル方向（Ｔａｎ）に向けて互いに平行に延びている。
【００３１】
レンズ駆動ユニット２０はレンズホルダ２５を有している。レンズホルダ２５は合成樹脂製または軽金属製である。レンズホルダ２５に対物レンズ２７が保持されている。図２に示すように、レンズホルダ２５の下面のうちの、移動ベース１０上のストッパ部１３ａに対向する部分が規制当接部２５ａである。レンズホルダ２５の下部には、ラジアル方向（Ｒａｄ）の両側へ延び出る突出部２５ｂが一体に形成されており、突出部２５ｂの下面が対向当接部２５ｃとなっている。前記ユニットシャーシ２１の底部上面では、前記対向当接部２５ｃと対向する部分が受け部２１ｄとなている。
【００３２】
図１と図２に示すように、レンズホルダ２５には、ラジアル方向（Ｒａｄ）の両側へ延びる金属支持端子２６が設けられている。金属支持端子２６はレンズホルダ２５に埋設されて固定されている。レンズホルダ２５の周囲にフォーカスコイルＣｆが巻かれている。レンズホルダ２５のタンゼンシャル方向（Ｔａｎ）に向く両側面には、トラッキングコイルＣｔが設けられている。それぞれの側面にトラッキングコイルＣｔが２個ずつ固定されている。フォーカスコイルＣｆを形成しているコイル巻き線の端末部は、４本の金属支持端子２６のうちの２本にそれぞれ巻き付けられて固定されている。４個のトラッキングコイルＣｔは直列に接続されており、そのコイル巻き線の端末部は、４本の金属支持端子２６のうちの２本にそれぞれ巻き付けられて固定されている。
【００３３】
前記弾性ワイヤ２４の先部は、それぞれ金属支持端子２６に半田付けされて固定される。レンズホルダ２５は、光軸Ｏ方向と直交する方向に延びる４本の弾性ワイヤ２４によって、光軸方向（Ｆ）とラジアル方向（Ｒａｄ）とへ移動自在に支持される。弾性ワイヤ２４は導電性金属で形成されており、前記半田付けによって、フォーカスコイルＣｆを構成するコイル巻き線の端末が２本の弾性ワイヤ２４に導通され、トラッキングコイルＣｔを構成するコイル巻き線の端末が他の２本の弾性ワイヤ２４に導通される。図示しない駆動回路から、それぞれの弾性ワイヤ２４を通じて、フォーカスコイルＣｆとトラッキングコイルＣｔに補正駆動電流が与えられる。
【００３４】
図１に示すように、ユニットシャーシ２１に一対のヨーク部２１ｅ，２１ｅが一体に折り曲げられており、それぞれのヨーク部２１ｅ，２１ｅにマグネットＭが固定されている。それぞれのマグネットＭは、レンズホルダ２５に搭載されたフォーカスコイルＣｆとトラッキングコイルＣｔの双方に対向している。
【００３５】
フォーカスコイルＣｆとマグネットＭとでフォーカス補正機構が構成されている。フォーカス補正機構では、フォーカスコイルＣｆにおいてラジアル方向（Ｒａｄ）に流れる補正駆動電流とマグネットＭからの磁界とによって、レンズホルダ２５が光軸方向（Ｆ）へ向けて駆動される。
【００３６】
トラッキングコイルＣｔとマグネットＭとでトラッキング補正機構が構成されている。トラッキング補正機構では、トラッキングコイルＣｔで光軸方向（Ｆ）に流れる補正駆動電流とマグネットＭからの磁界とによって、レンズホルダ２５がラジアル方向（Ｒａｄ）へ向けて駆動される。
【００３７】
光ピックアップ装置１の組立作業は以下の通りである。
レンズ駆動ユニット２０の組立作業では、ユニットシャーシ２１に支持体２２が固定され、４本の弾性ワイヤ２４の基部が固定された支持基板２３が、支持体２２に固定される。このとき、４本の弾性ワイヤ２４を、支持体２２の開口部２２ａの内部を通過させてタンゼンシャル方向へ延び出させておく。
【００３８】
ユニットシャーシ２１をダイ上の保持治具に仮固定し、位置決め治具を使用して、レンズホルダ２５をユニットシャーシ２１の上で位置決めする。ユニットシャーシ２１上でレンズホルダ２５の位置が決まったときに、弾性ワイヤ２４と金属支持端子２６との間にわずかな隙間ができるように、４本の弾性ワイヤ２４の位置が決められている。レンズホルダ２５の位置が決まったら、個々の金属支持端子２６と弾性ワイヤ２４とを半田付けする。その後に、レンズホルダ２５に対物レンズ２７を装着する。図３には、硬化後の半田が符号２８で示されている。この組立作業では、ユニットシャーシ２１上でレンズホルダ２５の位置が正確に決められてから、金属支持端子２６と弾性ワイヤ２４とが半田付けされるため、ユニットシャーシ２１に対して対物レンズ２７の光軸Ｏを高精度に位置決めすることができる。
【００３９】
このようにして組み立てられたレンズ駆動ユニット２０が、傾き調整移動３０によって、移動ベース１０上に組み込まれる。すなわち、ユニットシャーシ２１の前記支持基準部２１ａが、移動ベース１０の支点支持部１６と板ばね３１との間に支持され、移動ベース１０の２カ所に挿通された調整ねじ３１ａ，３１ｂが、ユニットシャーシ２１に形成された調整雌ねじ穴２１ｂ，２１ｃに螺着される。また、圧縮コイルばね３２ａ，３２ｂが、ユニットシャーシ２１と移動ベース１０との間に装着される。
【００４０】
光ピックアップ装置１が光ディスク装置に搭載されるときは、図１に示すように、移動ベース１０が案内軸２と駆動スクリュー軸３とで支持される。
【００４１】
その後、光ディスク装置のターンテーブルに基準ディスクが設置され、光ピックアップ装置１の光軸Ｏの傾き調整作業が行われる。この調整作業では、調整ねじ３１ａの締め付け量を調整することにより、支点支持部１６と支持基準部２１ａとの当接部を支点として、ユニットシャーシ２１がＲａｄ軸回りに傾けられる。また、調整ねじ３１ｂの締め付け量を調整することにより、支点支持部１６と支持基準部２１ａとの当接部を支点として、ユニットシャーシ２１がＴａｎ軸回りに傾けられる。この調整により、レンズ駆動ユニット２０の光軸Ｏと基準ディスクとの対向角度が調整される。
【００４２】
図３に示すように、レンズ駆動ユニット２０が移動ベース１０上に搭載されると、移動ベース１０の底部に設けられたストッパ突起１３が、ユニットシャーシ２１に形成された開口部２１ｆの内部に挿入され、ストッパ突起１３の上端のストッパ部１３ａが、ユニットシャーシ２１の受け部２１ｄよりも上方へ突出する。
【００４３】
図３は、レンズホルダ２５に外力が作用しておらず、弾性ワイヤ２４によってレンズホルダ２５が中立位置に弾性支持された状態を示している。このとき、レンズホルダ２５の底部の規制当接部２５ａと、移動ベース１０側のストッパ部１３ａとの間に、光軸方向（Ｆ方向）に距離Ｈ１が空けられている。また、レンズホルダ２５に形成された対向当接部２５ｃと、ユニットシャーシ２１の受け部２１ｄとの間に距離Ｈ２が空けられている。距離Ｈ２は距離Ｈ１よりも長くなっている。
【００４４】
次に、光ピックアップ装置１の動作を説明する。
光ディスク装置のターンテーブルに光ディスクが装填されると、ターンテーブルが回転し光ディスクが回転する。まず、フォーカス補正機構により、レンズホルダ２５を光ディスクから離れる方向（図の下方向）へ１ｍｍ程度下降させる。発光素子からレーザ光の検知光を照射すると、検知光はプリズム１５で反射させられ、対物レンズ２７で光ディスクに向かって集光させられる。前記検知光が光ディスクの記録面に合焦すると、その反射光が対物レンズ２７の光軸Ｏに沿って戻り、この戻り光が受光素子で検知される。フォーカス補正機構によりレンズホルダ２５を上昇させながら、前記反射光を検知できるか否かを監視することにより、ターンテーブル上に光ディスクが装填されているか否かの判別や、ＣＤとＤＶＤなどの光ディスクの種別検知などが行われる。
【００４５】
光ディスクが装填されていることが検知され、光ディスクの種別が認識されると、光ディスクが回転駆動され、記録データの読み取りなどが行われる。このとき、フォーカス補正機構により、レンズホルダ２５がＦ方向へ微駆動されて、光ディスクの記録面に検知光を常に合焦させるフォーカス補正動作が行われる。またトラッキング補正機構によって、レンズホルダ２５がラジアル方向（Ｒａｄ）に微駆動され、検知光の合焦スポットが、光ディスクの記録トラックを追従するように、トラッキング補正動作が行われる。
【００４６】
上記のように、レンズホルダ２５は、フォーカス駆動機構によって光軸方向（Ｆ方向）へ駆動されるが、この動作中に、フォーカス補正に誤動作が生じ、レンズホルダ２５が必要以上に下向きに移動させられることがある。または、外力により、レンズホルダ２５に下向きの大きな加速度が作用したときにも、レンズホルダが必要以上に下方へ移動させられることがある。
【００４７】
このとき、図４に示すように、レンズホルダ２５の底部の規制当接部２５ａが、移動ベース１０側に設けられたストッパ突起１３の上端のストッパ部１３ａに当たり、それ以上レンズホルダ２５が下降するのが規制される。よって、弾性ワイヤ２４が過剰に曲げられるのを防止でき、弾性ワイヤ２４が塑性変形したり、金属疲労状態に至るのを防止できるようになる。
【００４８】
図３において、規制当接部２５ａとストッパ部１３ａとの距離Ｈ１は、対向当接部２５ｃと受け部２１ｄとの距離Ｈ２よりも短く設定されている。したがって、レンズホルダ２５が下降すると、レンズホルダ２５の対向当接部２５ｃもユニットシャーシ２１の受け部２１ｄに接近するが、図４に示すように、規制当接部２５ａとストッパ部１３ａとが当接したときに、対向当接部２５ｃと受け部２１ｄとが、距離δだけ離れた状態を保つようになっている。δ＝Ｈ２−Ｈ１である。
【００４９】
図４に示すように、レンズホルダ２５が光ディスクから離れる方向である下方向へ最大限移動しても、レンズホルダ２５は、ユニットシャーシ２１に当たることがなく常に離れている。前述のように、レンズ駆動ユニット２０の組立作業では、ユニットシャーシ２１に、支持体２２と支持基板２３ならびに弾性ワイヤ２４が組み込まれた後に、レンズホルダ２５が位置決めされて、弾性ワイヤ２４と金属支持端子２６とが半田付けされる。このハンダ付け作業の際に、フラックスがユニットシャーシ２１の受け部２１ｄなどの付着することがある。ユニットシャーシ２１に付着したフラックスは、高温環境下で使用されると粘着性を発揮し、下降してきたレンズホルダ２５を一時的に接着して保持することがある。
【００５０】
しかし、図４に示すように、レンズホルダ２５が最大距離だけ下降しても、レンズホルダ２５がユニットシャーシ２１から離れた状態を保てるため、高温環境下となっても、レンズホルダ２５がユニットシャーシに接着される現象が生じることがない。よって、レンズホルダ２５を光軸方向（Ｆ方向）へスムースに昇降させることができ、光ディスクの有無の検知や光ディスクの種別検知動作にエラーが発生する可能性が低くなる。
【００５１】
次に、図１に示すように、ユニットシャーシ２１上にレンズホルダ２５が組み付けられたレンズ駆動ユニット２０が、移動ベース１０に搭載される前の工程で、保管され運搬されるときに、レンズホルダ２５に不用意な外力が作用することがある。ただし、この力でレンズホルダ２５が下降しても、レンズホルダ２５の対向当接部２５ｃがユニットシャーシ２１の受け部２１ｄに当接するため、弾性ワイヤ２４が過剰に曲げ変形するのを防止できる。また、受け部２１ｄにフラックスが付着していたとしても、高温環境下で無い限りは、レンズホルダ２５が受け部２１ｄに接着されることはない。
【００５２】
本発明の実施の形態では、図３に示すように、レンズホルダ２５が中立姿勢のときに、規制当接部２５ａとストッパ部１３ａとの距離Ｈ１が、対向当接部２５ｃと受け部２１ｄとの距離Ｈ２よりも短く設定されている。そのため、光ピックアップ装置１が動作しているときに、レンズホルダ２５が下向きに移動してもユニットシャーシ２１に当たることがなく、ユニットシャーシ２１の受け部２１ｄにフラックスが付着していたとしても、高温環境下において、レンズホルダ２５がユニットシャーシ２１に接着されることがない。ただし、レンズ駆動ユニット２０の単体で管理されているときは、レンズホルダ２５の対向当接部２５ｃがユニットシャーシ２１に対向しているため、レンズホルダ２５に対して不用意な下向きの力が与えられると、対向当接部２５ｃがユニットシャーシ２１に当接し、弾性ワイヤ２４が過剰に曲げられるのを防止できるようにしている。
【００５３】
弾性ワイヤ２４を常に最適な状態で動作させるためには、図３に示す対向当接部２５ｃと受け部２１ｄとの距離Ｈ２を、その位置までレンズホルダ２５を下降させたときの弾性ワイヤ２４が曲げ変形量が、弾性領域を超えない範囲、すなわち降伏点を超えない範囲であることが必要である。ただし、安全率を考慮すると、レンズホルダ２５を距離Ｈ２だけ移動させたときに、弾性ワイヤ２４の曲げ変形の応力が、降伏点の１／３以下となるように、前記距離Ｈ２が設定されることが好ましい。
【００５４】
なお、図３と図４に示す実施の形態では、移動ベース１０にストッパ突起１３が上向きに突出してその先端部がストッパ部１３ａとなっているが、ストッパ部１３ａが移動ベース１０の平坦な底部に設定されており、レンズホルダ２５において規制当接部２５ａが下向きに突出していてもよい。
【００５５】
また、ユニットシャーシ２１に、レンズホルダ２５が上向き（光ディスクの方向）へ過剰に移動するのを規制する規制部が設けられていてもよい。
【符号の説明】
【００５６】
１  光ピックアップ装置
１０  移動ベース
１３ａ  ストッパ部
２０  レンズ駆動ユニット
２１  ユニットシャーシ
２１ｄ  受け部
２２  支持体
２４  弾性ワイヤ（弾性支持部材）
２５  レンズホルダ
２５ａ  規制当接部
２５ｃ  対向当接部
２６  金属支持端子
２７  対物レンズ
２８  半田
３０  傾き調整機構
Ｃｆ  フォーカスコイル
Ｃｔ  トラッキングコイル
Ｍ  マグネット
Ｏ  光軸
Ｆ  光軸方向
Ｒａｄ  ラジアル方向
Ｔａｎ  タンゼンシャル方向
【図１】
0006278858.tif 000002
【図２】
0006278858.tif 000003
【図３】
0006278858.tif 000004
【図４】
0006278858.tif 000005